(57)【要約】【課題】この発明は、デジタル複合機の前にいるユーザによって行われようとするコピージョブが、ネットワークＦＡＸ送信ジョブに比べてできるだけ優先的に実行されるようになるデジタル複合機を提供することを目的とする。【解決手段】優先的表示画面としてＦＡＸ操作画面が設定されておりかつＦＡＸ操作画面が表示されている状態において、コピー機能キーが操作されたときに、ネットワークＦＡＸ送信ジョブを、一定期間、受付禁止状態にさせるための手段、ならびに優先的表示画面としてコピー操作画面が設定されておりかつコピー操作画面が表示されている状態において、コピー機能切り替えキー以外の機能切り替えキーを特定キーとすると、特定キー以外のキーが操作されたときに、ネットワークＦＡＸ送信ジョブを、一定期間、受付禁止状態にさせるための手段を備えている。【選択図】  図１
2004289480.tif 000002
【特許請求の範囲】
【請求項１】
原稿読み取り装置によって読み取られた原稿画像を印刷するコピー機能と、原稿読み取り装置によって読み取られた原稿画像をＦＡＸ送信するＦＡＸ機能と、ＰＣから送られてきた画像を他のファクシミリ装置にＦＡＸ送信するネットワークＦＡＸ機能とを備えたデジタル複合機において、
電源投入時または操作が一定時間以上行われなかったときに表示される操作画面（以下、優先的表示画面という）としてＦＡＸ操作画面が設定されておりかつＦＡＸ操作画面が表示されている状態において、コピー機能キーが操作されたときに、ネットワークＦＡＸ送信ジョブを、一定期間、受付禁止状態にさせるための手段、ならびに
優先的表示画面としてコピー操作画面が設定されておりかつコピー操作画面が表示されている状態において、コピー機能切り替えキー以外の機能切り替えキーを特定キーとすると、特定キー以外のキーが操作されたときに、ネットワークＦＡＸ送信ジョブを、一定期間、受付禁止状態にさせるための手段、
を備えていることを特徴とするデジタル複合機。
【請求項２】
優先的表示画面としてコピー操作画面が設定されておりかつコピー操作画面が表示されている状態において、原稿マットが開かれたときに、ネットワークＦＡＸ送信ジョブを、一定期間、受付禁止状態にさせるための手段をさらに備えていることを特徴とする請求項１に記載のデジタル複合機。
【発明の詳細な説明】
【０００１】
【産業上の利用分野】
この発明は、複写機能の他、原稿読み取り装置によって読み取られた原稿画像をＦＡＸ送信するＦＡＸ機能と、ＰＣから送られてきた画像を他のファクシミリ装置にＦＡＸ送信するネットワークＦＡＸ機能を備えたデジタル複合機に関する。
【０００２】
【従来の技術】
コピー機能の他、原稿読み取り装置によって読み取られた原稿画像をＦＡＸ送信するＦＡＸ機能、ＰＣから送られてきた画像を他のファクシミリ装置にＦＡＸ送信するネットワークＦＡＸ機能、原稿読み取り装置によって読み取られた原稿画像をＰＣにＰＣ送信する機能、プリンタとして利用するプリンタ機能等を備えたデジタル複合機が知られている。
【０００３】
ところで、このようなデジタル複合機において、ネットワークＦＡＸ機能を利用したネットワークＦＡＸ送信ジョブと、メモリコピーモードでのコピージョブとは、同じメモリ資源を用いるため、同時に実行することができない。
【０００４】
従来のデジタル複合機では、デジタル複合機の前にいるユーザがコピー機能キーを押してコピー機能を選択したとしても、その時点では、まだコピージョブの受付は開始されておらず、枚数設定等の設定キーが押された時点からコピージョブの受付が開始される。
【０００５】
このため、デジタル複合機の前にいるユーザがコピー機能キーを押してコピー機能を選択したとしても、設定キー操作が行われていない状態において、デジタル複合機によってネットワークＦＡＸ送信ジョブが受付られると、コピージョブの受付が禁止されるため、デジタル複合機の前にいるユーザはネットワークＦＡＸ送信ジョブの処理が終了するまで待機するか、ダイレクトコピーモードでのコピージョブを行うしかなかった。
【０００６】
【発明が解決しようとする課題】
この発明は、デジタル複合機の前にいるユーザによって行われようとするコピージョブが、ネットワークＦＡＸ送信ジョブに比べてできるだけ優先的に実行されるようになるデジタル複合機を提供することを目的とする。
【０００７】
【課題を解決するための手段】
請求項１に記載の発明は、原稿読み取り装置によって読み取られた原稿画像を印刷するコピー機能と、原稿読み取り装置によって読み取られた原稿画像をＦＡＸ送信するＦＡＸ機能と、ＰＣから送られてきた画像を他のファクシミリ装置にＦＡＸ送信するネットワークＦＡＸ機能とを備えたデジタル複合機において、電源投入時または操作が一定時間以上行われなかったときに表示される操作画面（以下、優先的表示画面という）としてＦＡＸ操作画面が設定されておりかつＦＡＸ操作画面が表示されている状態において、コピー機能キーが操作されたときに、ネットワークＦＡＸ送信ジョブを、一定期間、受付禁止状態にさせるための手段、ならびに優先的表示画面としてコピー操作画面が設定されておりかつコピー操作画面が表示されている状態において、コピー機能切り替えキー以外の機能切り替えキーを特定キーとすると、特定キー以外のキーが操作されたときに、ネットワークＦＡＸ送信ジョブを、一定期間、受付禁止状態にさせるための手段を備えていることを特徴とする。
【０００８】
請求項２に記載の発明は、請求項１に記載のデジタル複合機において、優先的表示画面としてコピー操作画面が設定されておりかつコピー操作画面が表示されている状態において、原稿マットが開かれたときに、ネットワークＦＡＸ送信ジョブを、一定期間、受付禁止状態にさせるための手段をさらに備えていることを特徴とする。
【０００９】
【発明の実施の形態】
以下、図面を参照して、この発明の実施の形態について説明する。
【００１０】
図１は、システム構成を示している。
【００１１】
デジタル複合機１、２は、ＬＡＮ１１を介して、クライアントＰＣ３、４、ＳＭＴＰサーバ５およびファイルサーバ６に接続されているとともに、公衆電話回線網１２を介してファクシミリ装置７に接続されている。デジタル複合機１、２は、ここでは、構成が同じであり、同じ機能を備えているものとする。
【００１２】
図２は、デジタル複合機１の電気的構成を示している。
【００１３】
デジタル複合機１は、コピー機能、ＦＡＸ機能、プリンタ機能、ネットワークＦＡＸ機能およびネットワークスキャナ機能を備えている。
【００１４】
デジタル複合機１は、コピア・スキャナ基板３０、ＦＡＸ基板４０と、操作表示部２１、スキャナ２２、ＬＳＵ２３、ＮＣＵ２４等を備えている。
【００１５】
コピア・スキャナ基板３０は、ＮＩＣ３１、メインＣＰＵ３２、通信バッファ３３、ビットマップメモリ３４、画像メモリ３５、画像転送部３６、ＡＳＩＣ３７等を備えている。ＦＡＸ基板４０は、ＦＡＸ用ＣＰＵ４１、画像転送部４２、ビットマップメモリ４３、画像メモリ４４、モデム４５等を備えている。
【００１６】
操作表示部２１には、図３に示すように、各種の機能選択キー１０１〜１０４、各種機能に応じた操作画面を表示するためのタッチパネル付きのＬＣＤ１０５、テンキー１０６、スタートキー１０７等が設けられている。機能選択キーとしては、コピー機能キー１０１、プリンタ機能キー１０２、スキャナ機能（ネットワークスキャナ機能）キー１０３、ＦＡＸ機能キー１０４がある。ＬＣＤ１０５には、現在選択されている機能に対応する操作画面が表示される。
【００１７】
初期設定において、電源投入時および操作が一定時間以上行われなかったときに表示される操作画面（優先的表示画面という）を、コピー操作画面とＦＡＸ操作画面のうちから、選択できるようになっている。
【００１８】
メモリコピーモードでのコピージョブでは、スキャナ２２によって読み取られた原稿画像は、ＡＳＩＣ３７、画像転送部３６、ビットマップメモリ３４を介して画像メモリ３５に一旦蓄積された後、ビットマップメモリ３４、画像転送部３６、ＡＳＩＣ３７を介してＬＳＵ２３に送られる。
【００１９】
ネットワークＦＡＸ送信ジョブでは、クライアントＰＣ３（または４）から、２値画像が符号化（例えば、ＭＭＲ符号化）された符号化データが、デジタル複写機１に送信される。デジタル複写機１にＰＣから送られてきた符号化データは、ＮＩＣ３１、メインＣＰＵ３２、通信バッファ３３、ビットマップメモリ３４、画像転送部３６、画像転送部４２、ビットマップメモリ４３、画像メモリ４４、モデム４５、ＮＣＵ２４を介して公衆回線１２に送られる。
【００２０】
図４、図５および図６は、ネットワークＦＡＸ送信ジョブの受付許可禁止制御処理手順を示している。
【００２１】
電源が入れられると、ネットワークＦＡＸ送信ジョブの受付を許可する状態とする（ステップ１）。そして、優先的表示画面としてＦＡＸ操作画面が設定されており、かつＦＡＸ操作画面が表示されているという第１条件を満たしているか否かを判別する（ステップ２）。
【００２２】
第１条件が満たされていない場合には、優先的表示画面としてコピー操作画面が設定されており、かつコピー操作画面が表示されているという第２条件を満たしているか否かを判別する（ステップ３）。第２条件を満たしていない場合には、ステップ２に戻る。
【００２３】
上記ステップ２において、第１条件が満たされている場合には、コピー機能キー１０１が押されたか否かを判別する（ステップ４）。コピー機能キー１０１が押されていない場合には、ステップ２に戻る。
【００２４】
上記ステップ３において、第２条件が満たされている場合には、コピー機能キー１０１以外の機能切替キー（プリンタ機能キー１０２、スキャナ機能キー１０３、ＦＡＸ機能キー１０４）を特定キーとすると、特定キー以外のキーが押されたか、または原稿マットが開かれたかを判別する（ステップ５）。上記特定キー以外のキーが操作されておらずかつ原稿マットが開かれなかった場合には、ステップ２に戻る。
【００２５】
上記ステップ４においてコピー機能キー１０１が押されたと判別した場合、上記ステップ５において上記特定キー以外のキーが押されたと判別された場合、または上記ステップ５において原稿マットが開かれたと判別された場合には、ネットワークＦＡＸ送信ジョブの受付を禁止する状態とする（ステップ６）。
【００２６】
そして、初期設定において、オートクリアタイムが０秒以外の値に設定されているか否かを判定する（ステップ７）。なお、オートクリア機能は、コピー終了後、設定されているオートクリアタイムが経過したときに、ウォームアップが終了した状態に自動的に戻る機能である。オートクリアタイムは、０秒（オートクリアタイム無効）から、例えば、１０秒単位で設定できるようになっている。
【００２７】
図５を参照して、オートクリアタイムが０秒以外の値に設定されている場合の処理手順について説明する。
【００２８】
オートクリアタイムが０秒以外の値に設定されている場合には（ステップ７でＹＥＳ）、機能切替タイマを起動する（ステップ８）。つまり、機能切替時間（この例では、３０秒）の計時を開始する。
【００２９】
次に、キー操作があったか否かを判別する（ステップ９）。キー操作がなければ、機能切替タイマがタイムアウトしたか（３０秒経過したか）否かを判別する（ステップ１０）。機能切替タイマがタイムアウトしていない場合には、ステップ９に戻る。
【００３０】
機能切替タイマが起動されてから機能切替タイマがタイムアウトするまでに、キー操作が行われなかった場合には、ユーザにコピージョブを行う意思がないものと判断し、ネットワークＦＡＸ送信ジョブの受付を許可する状態とする（ステップ１１）。そして、ステップ２に戻る。
【００３１】
機能切替タイマが起動されてから機能切替タイマがタイムアウトする前に、キー操作があった場合には（ステップ９でＹＥＳ）、機能切替タイマの起動を停止させる（ステップ１２）、そして、操作されたキーがスタートキー１０６であるか否かを判別する（ステップ１３）。
【００３２】
スタートキー１０６でなければ、オートクリアタイマを起動する（ステップ１４）。つまり、設定されているオートクリアタイムの計時を開始する。そして、キー操作があったか否かを判別する（ステップ１５）。キー操作がなければ、オートクリアタイマがタイムアウトしたか否かを判別する（ステップ１６）。オートクリアタイマがタイムアウトしていない場合には、ステップ１５に戻る。
【００３３】
オートクリアタイマが起動されてからオートクリアタイマがタイムアウトするまでに、キー操作が行われなかった場合には、ユーザにコピージョブを行う意思がないものと判断し、ネットワークＦＡＸ送信ジョブの受付を許可する状態とする（ステップ１１）。そして、ステップ２に戻る。
【００３４】
オートクリアタイマが起動されてからオートクリアタイマがタイムアウトする前に、キー操作があった場合には（ステップ１５でＹＥＳ）、オートクリアタイマの起動を停止させた後（ステップ１７）、ステップ１３に移行する。
【００３５】
ステップ１３において、操作されたキーがスタートキー１０６であると判別された場合には、コピージョブを開始させる（ステップ１８）。そして、コピージョブが終了すると（ステップ１９でＹＥＳ）、ステップ８に戻る。
【００３６】
図６を参照して、オートクリアタイムが０秒に設定されている場合の処理手順について説明する。
【００３７】
オートクリアタイムが０秒に設定されている場合には（ステップ７でＮＯ）、機能切替タイマを起動する（ステップ２０）。つまり、機能切替時間（この例では、３０秒）の計時を開始する。
【００３８】
次に、キー操作があったか否かを判別する（ステップ２１）。キー操作がなければ、機能切替タイマがタイムアウトしたか（３０秒経過したか）否かを判別する（ステップ２２）。機能切替タイマがタイムアウトしていない場合には、ステップ２１に戻る。
【００３９】
機能切替タイマが起動されてから機能切替タイマがタイムアウトするまでに、キー操作が行われなかった場合には、ユーザにコピージョブを行う意思がないものと判断し、ネットワークＦＡＸ送信ジョブの受付を許可する状態とする（ステップ２３）。そして、ステップ２に戻る。
【００４０】
機能切替タイマが起動されてから機能切替タイマがタイムアウトする前に、キー操作があった場合には（ステップ２１でＹＥＳ）、機能切替タイマを起動を停止させる（ステップ２４）、そして、上記ステップ２１で操作されたキーがスタートキー１０６であるか否かを判別する（ステップ２５）。スタートキーでなければ、ステップ２０に戻る。スタートキーであれば、コピージョブを開始させる（ステップ２６）。そして、コピージョブが終了すると（ステップ２７でＹＥＳ）、ステップ２０に戻る。
【００４１】
上記実施の形態では、優先的表示画面としてＦＡＸ操作画面が設定されておりかつＦＡＸ操作画面が表示されている状態において、コピー機能キー１０１が押された場合、または優先的表示画面としてコピー操作画面が設定されており、かつコピー操作画面が表示されている状態において、上記特定キー（プリンタ機能キー１０２、スキャナ機能キー１０３、ＦＡＸ機能キー１０４）以外のキーが押されるかまたは原稿マットが開かれた場合には、一定時間は、ネットワークＦＡＸ送信ジョブの受付が禁止されるため、複合機の前にいるユーザによるコピージョブをネットワークＦＡＸ送信ジョブに対して優先的に実行されるようになる。
【００４２】
【発明の効果】
この発明によれば、デジタル複合機の前にいるユーザによって行われようとするコピージョブが、ネットワークＦＡＸ送信ジョブに比べてできるだけ優先的に実行されるようになる。
【図面の簡単な説明】
【図１】システム構成を示すブロック図である。
【図２】デジタル複写機の電気的構成を示すブロック図である。
【図３】操作表示部の構成を示す模式図である。
【図４】ネットワークＦＡＸ送信ジョブの受付許可禁止制御処理手順を示すフローチャートである。
【図５】ネットワークＦＡＸ送信ジョブの受付許可禁止制御処理手順を示すフローチャートである。
【図６】ネットワークＦＡＸ送信ジョブの受付許可禁止制御処理手順を示すフローチャートである。
【符号の説明】
１、２  デジタル複合機
３、４  クライアントＰＣ
１１  ＬＡＮ
１２  公衆電話回線網
３０  コピア・スキャナ基板
４０  ＦＡＸ基板
２１  操作表示部
２２  スキャナ
２３  ＬＳＵ
２４  ＮＣＵ
【図１】
2004289480.tif 000003
【図２】
2004289480.tif 000004
【図３】
2004289480.tif 000005
【図４】
2004289480.tif 000006
【図５】
2004289480.tif 000007
【図６】
2004289480.tif 000008